(57)【要約】      （修正有）【課題】垂直昇降ロッドと横伸縮ロッドの固定が更に安定になり、操作が更に便利になる物干し台用収納定位構造を提供する。【解決手段】支持台ユニット１０と、連結台ユニット２０と、掛け枠ユニット５０と、を含み、連結台ユニットは、各連結台が下へ開口するベースであり、連結台２１の中央には、その上面から下面まで貫通する貫通孔が設けられ、掛け枠ユニットの両側に結合台５２が設けられ、結合台には、水平方向に沿う貫通孔が設けられ、二つの貫通孔の近傍には、剖開溝と、凸部と、が設けられ、凸部に設けられる剖開溝の両端にピンが挿入され、これにより、剖開溝に定位具が枢着され、定位具には、偏心凸ブロックと引き片が一体成形され、引き片を引くと、偏心凸ブロックが二つの貫通孔内に変位し、ひいては偏心凸ブロックが垂直昇降ロッドを圧迫して垂直昇降ロッドを定位する。【選択図】図４
0003160424.tif 000002
【実用新案登録請求の範囲】
【請求項１】
支持台ユニットと、連結台ユニットと、掛け枠ユニットと、を含み、
前記支持台ユニットは、少なくとも２組のＵ字形を呈するロッドユニットを含み、前記各ロッドユニットの底部の端部にキャスターがそれぞれ設けられ、
前記連結台ユニットは、各連結台が下へ開口するベースであり、前記連結台の中央には、その上面から下面まで貫通する貫通孔が設けられ、前記貫通孔の両側に枢着穴がそれぞれ設けられ、二つの前記連結台が両側に設けられ、逆Ｕ字形を呈する二つのロッドユニットが四つのロッドを形成し、四つの前記ロッドが前記連結台の枢着穴にそれぞれ挿入され、ねじ軸ユニットは、前記連結台と前記ロッドを貫通するように、前記連結台と前記ロッドに枢着され、これにより、前記ロッドの展開可能な角度が規制され、前記貫通孔の近傍に第１剖開溝と第１凸部が設けられ、前記第１凸部に設けられる前記第１剖開溝の両端に第１ピンが挿入され、これにより、前記第１剖開溝に第１定位具が枢着され、前記第１定位具には、第１偏心凸ブロックと第１引き片が一体成形され、前記第１引き片を引くと、前記第１偏心凸ブロックが前記貫通孔内に変位し、ひいては前記第１偏心凸ブロックが垂直昇降ロッドを圧迫して前記垂直昇降ロッドを定位し、前記第１定位具の前記第１偏心凸ブロックに凸条が複数設けられ、これらの前記凸条により前記垂直昇降ロッドの定位が更に安定になり、前記垂直昇降ロッドの前記連結台から突出する部分に第１係止具が嵌め設けられ、前記第１係止具が前記ロッドユニットの同じ側を同時に圧迫し、これにより、二つの前記ロッドの展開状態を保持することができ、
前記掛け枠ユニットは、両側に前記垂直昇降ロッドがそれぞれ設けられ、前記垂直昇降ロッドは、前記連結台の前記貫通孔をスライド可能に挿通することを特徴とする物干し台用収納定位構造。
【請求項２】
前記掛け枠ユニットは、更に、結合台を含み、前記結合台が前記掛け枠ユニットの両側に設けられ、前記結合台には、下へ鉛直に開口する連接穴が設けられ、前記垂直昇降ロッドの上端が前記連接穴に挿入し固定され、前記結合台には、水平方向に沿う貫通孔が設けられ、前記掛け枠ユニットの一つの横掛けロッドと二つの横伸縮ロッドは、前記貫通孔に位置調整可能に挿入され、前記貫通孔の近傍に第２剖開溝と第２凸部が設けられ、前記第２凸部に設けられる前記第２剖開溝の両端に第２ピンが挿入され、これにより、前記第２剖開溝に第２定位具が枢着され、前記第２定位具には、第２偏心凸ブロックと第２引き片が一体成形され、前記第２引き片を引くと、前記第２偏心凸ブロックが前記貫通孔内に変位し、ひいては前記第２偏心凸ブロックが前記横伸縮ロッドを圧迫して前記横伸縮ロッドを定位し、これにより、前記横伸縮ロッドの定位が更に安定になり、操作が更に便利になることを特徴とする、請求項１に記載の物干し台用収納定位構造。
【考案の詳細な説明】
【技術分野】
【０００１】
本考案は、物干し台に関し、特に、垂直昇降ロッドと横伸縮ロッドの固定が更に安定になり、操作が更に便利になる物干し台用収納定位構造に関するものである。
【背景技術】
【０００２】
図１乃至図３を参照する。従来の物干し台用収納定位構造は、一つの掛け台１と、二つの連結台２と、一つの支持ベース３と、を含む。
【０００３】
前記掛け台１の両側には、下へ鉛直に伸びる支ロッド１ａが設けられる。
【０００４】
二つの前記連結台２は、内部に空間が形成される側壁２ａをそれぞれ有し、前記空間の中央部位には、更に、チューブ部２ｂが一体成形され、前記チューブ部２ｂにより前記空間が左右の溝区２ｄに仕切られ、これらの前記溝区２ｄの少なくとも一つの側壁面の中段部位の下に第１凸縁２ｅが一体成形され、これらの前記溝区２ｄの二つの前記側壁面の前記第１凸縁２ｅの中段部位の上方に対向する箇所では、枢着軸２ｆが挿通される。
【０００５】
前記支持ベース３は、少なくとも四つの支持ロッド３ａを有し、これらの前記支持ロッド３ａの上端は、前記連結台２の両側にある溝区２ｄに挿入され、前記枢着軸２ｆに挿通されて、回動支点になる。これらの前記支持ロッド３ａは、前記枢着軸２ｆを回動支点として、前記第１凸縁２ｅの両側の間に回動可能である。前記支持ロッド３ａが旋回されるときに、その周面が前記第１凸縁２ｅに弾性的に圧迫される。これにより、前記第１凸縁２ｅの外側に、これらの前記支持ロッド３ａを規制することができ、そうすると、これらの前記支持ロッド３ａが展開状態にある。また、前記第１凸縁２ｅの内側に、これらの前記支持ロッド３ａを引くと、これらの前記支持ロッド３ａが収納状態にある。
【考案の概要】
【考案が解決しようとする課題】
【０００６】
しかしながら、これは次のような欠点があった。
（１）連結台２の側壁２ａで囲まれる空間に、第１凸縁２ｅと第２凸縁２ｇを別に設けることが必要であるため、加工作業が困難になり、製造コストが増加し、操作が難しくなり、且つ定位が圧迫方法を採用するため、部材の損壊率が増加する。
【０００７】
（２）二つの連結台２は側壁２ａを有し、側壁２ａの内部に空間が形成され、前記空間の中央部位にチューブ部２ｂが一体成形され、チューブ部２ｂ内に挿入穴２ｃが形成され、挿入穴２ｃに掛け台１の支ロッド１ａを挿通して固定することができる。その固定方法は、連結台２に押付ボルト４ａを螺入し支ロッド１ａを押付けることにある。そうすると、押付ボルト４ａの螺入により支ロッド１ａが損壊し易く、且つ支ロッド１ａを安定に固定することもできない。
【０００８】
（３）掛け台１のチューブ台５には、何れかの固定構造がないため、延長ロッド５ａがスライドし易く、延長ロッド５ａが掛け台１から脱出することがよくある。
【０００９】
（４）連結台２とチューブ台５に補強構造が設けられないため、連結台２とチューブ台５の全体の強度が良くない。
【００１０】
本考案の主な目的は、垂直昇降ロッドと横伸縮ロッドの固定が更に安定になり、操作が更に便利になる物干し台用収納定位構造を提供することにある。
【課題を解決するための手段】
【００１１】
本考案の物干し台用収納定位構造によると、支持台ユニットと、連結台ユニットと、掛け枠ユニットと、を含み、
前記支持台ユニットは、少なくとも２組のＵ字形を呈するロッドユニットを含み、前記各ロッドユニットの底部の端部にキャスターがそれぞれ設けられ、
前記連結台ユニットは、各連結台が下へ開口するベースであり、前記連結台の中央には、その上面から下面まで貫通する貫通孔が設けられ、前記貫通孔の両側に枢着穴がそれぞれ設けられ、二つの前記連結台が両側に設けられ、逆Ｕ字形を呈する二つのロッドユニットが四つのロッドを形成し、四つの前記ロッドが前記連結台の枢着穴にそれぞれ挿入され、ねじ軸ユニットは、前記連結台と前記ロッドを貫通するように、前記連結台と前記ロッドに枢着され、これにより、前記ロッドの展開可能な角度が規制され、前記貫通孔の近傍に第１剖開溝と第１凸部が設けられ、前記第１凸部に設けられる前記第１剖開溝の両端に第１ピンが挿入され、これにより、前記第１剖開溝に第１定位具が枢着され、前記第１定位具には、第１偏心凸ブロックと第１引き片が一体成形され、前記第１引き片を引くと、前記第１偏心凸ブロックが前記貫通孔内に変位し、ひいては前記第１偏心凸ブロックが垂直昇降ロッドを圧迫して前記垂直昇降ロッドを定位し、前記第１定位具の前記第１偏心凸ブロックに凸条が複数設けられ、これらの前記凸条により前記垂直昇降ロッドの定位が更に安定になり、前記垂直昇降ロッドの前記連結台から突出する部分に第１係止具が嵌め設けられ、前記第１係止具が前記ロッドユニットの同じ側を同時に圧迫し、これにより、二つの前記ロッドの展開状態を保持することができ、
前記掛け枠ユニットは、両側に前記垂直昇降ロッドがそれぞれ設けられ、前記垂直昇降ロッドは、前記連結台の前記貫通孔をスライド可能に挿通することを特徴とする。
【００１２】
本考案の物干し台用収納定位構造によると、前記掛け枠ユニットは、更に、結合台を含み、前記結合台が前記掛け枠ユニットの両側に設けられ、前記結合台には、下へ鉛直に開口する連接穴が設けられ、前記垂直昇降ロッドの上端が前記連接穴に挿入し固定され、前記結合台には、水平方向に沿う貫通孔が設けられ、前記掛け枠ユニットの一つの横掛けロッドと二つの横伸縮ロッドは、前記貫通孔に位置調整可能に挿入され、前記貫通孔の近傍に第２剖開溝と第２凸部が設けられ、前記第２凸部に設けられる前記第２剖開溝の両端に第２ピンが挿入され、これにより、前記第２剖開溝に第２定位具が枢着され、前記第２定位具には、第２偏心凸ブロックと第２引き片が一体成形され、前記第２引き片を引くと、前記第２偏心凸ブロックが前記貫通孔内に変位し、ひいては前記第２偏心凸ブロックが前記横伸縮ロッドを圧迫して前記横伸縮ロッドを定位し、これにより、前記横伸縮ロッドの定位が更に安定になり、操作が更に便利になることを特徴とする。
【考案の効果】
【００１３】
本考案の物干し台用収納定位構造によれば、垂直昇降ロッドと横伸縮ロッドの固定が更に安定になり、操作が更に便利になるという効果を有する。
【図面の簡単な説明】
【００１４】
【図１】従来の物干し台用収納定位構造の一部の分解斜視図である。
【図２】従来の物干し台用収納定位構造の連結台の下面図である。
【図３】従来の物干し台用収納定位構造のチューブ台の組合済み状態の斜視図である。
【図４】本考案の実施例の組合済み状態の斜視図である。
【図５】本考案の実施例の一部の分解斜視図である。
【図６】本考案の実施例の定位具の平面図である。
【図７】本考案の実施例の連結台の下面図である。
【図８】本考案の実施例の別の一部の分解斜視図である。
【図９】本考案の実施例の連結台ユニットの組合済み状態の斜視図である。
【考案を実施するための形態】
【００１５】
以下、本考案の実施の形態を図面に基づいて説明する。
まず、図４乃至図９を参照する。本考案の物干し台用収納定位構造は、支持台ユニット１０と、連結台ユニット２０と、掛け枠ユニット５０と、を含む。
【００１６】
前記支持台ユニット１０は、少なくとも２組のＵ字形を呈するロッドユニット１１を含み、前記各ロッドユニット１１の底部の端部にキャスター１２がそれぞれ設けられる。
【００１７】
前記連結台ユニット２０は、各連結台２１が下へ開口するベースであり、前記連結台２１の中央には、その上面から下面まで貫通する貫通孔２３が設けられ、前記貫通孔２３の両側に枢着穴２４、２５がそれぞれ設けられ、二つの前記連結台２１が両側に設けられ、逆Ｕ字形を呈する二つのロッドユニット１１が四つのロッド１１１、１１２、１１３、１１４を形成し、四つの前記ロッド１１１、１１２、１１３、１１４が前記連結台２１の枢着穴２４、２５にそれぞれ挿入され、ねじ軸ユニット３０は、前記連結台２１と前記ロッド１１１、１１２、１１３、１１４を貫通するように、前記連結台２１と前記ロッド１１１、１１２、１１３、１１４に枢着され、これにより、前記ロッド１１１、１１２、１１３、１１４の展開可能な角度が規制される。前記貫通孔２３の近傍に第１剖開溝２６と第１凸部２７が設けられ、前記第１凸部２７に設けられる前記第１剖開溝２６の両端に第１ピン２８が挿入され、これにより、前記第１剖開溝２６に第１定位具４０が枢着され、前記第１定位具４０には、第１偏心凸ブロック４１と第１引き片４２が一体成形され、前記第１引き片４２を引くと、前記第１偏心凸ブロック４１が前記貫通孔２３内に変位し、ひいては前記第１偏心凸ブロック４１が垂直昇降ロッド５１を圧迫して前記垂直昇降ロッド５１を定位する。
【００１８】
前記掛け枠ユニット５０の両側に結合台５２が設けられ、前記結合台５２には、下へ鉛直に開口する連接穴５２１が設けられ、前記垂直昇降ロッド５１の上端が前記連接穴５２１に挿入し固定され、前記結合台５２には、水平方向に沿う貫通孔５３が設けられ、前記掛け枠ユニット５０の一つの横掛けロッド５４と二つの横伸縮ロッド５５は、前記貫通孔５３に位置調整可能に挿入される。前記貫通孔５３の近傍に第２剖開溝５６と第２凸部５７が設けられ、前記第２凸部５７に設けられる前記第２剖開溝５６の両端に第２ピン５８が挿入され、これにより、前記第２剖開溝５６に第２定位具５９が枢着され、前記第２定位具５９には、第２偏心凸ブロック５９１と第２引き片５９２が一体成形され、前記第２引き片５９２を引くと、前記第２偏心凸ブロック５９１が前記貫通孔５３内に変位し、ひいては前記第２偏心凸ブロック５９１が前記横伸縮ロッド５５を圧迫して前記横伸縮ロッド５５を定位し、これにより、前記横伸縮ロッド５５の定位が更に安定になり、操作が更に便利になる。
【００１９】
前記第１定位具４０の前記第１偏心凸ブロック４１に凸条４１１が複数設けられ、これらの前記凸条４１１により前記垂直昇降ロッド５１の定位が更に安定になる。
【００２０】
前記第１定位具４０の前記第１引き片４２と前記第２定位具５９の前記第２引き片５９２は、大きな片状にされ、且つ人間工学に合う円弧形状にされるため、操作が容易で省力である。前記第１引き片４２と前記第２引き片５９２とのユーザの指と接触する表面に滑止皺４２１が複数設けられる。
【００２１】
前記連結台２１の表面に山形リブ２１１が複数設けられ、これらの前記山形リブ２１１により、前記連結台２１が補強される。
【００２２】
前記連結台２１の前記第１枢着穴２４と前記第２枢着穴２５に突出部２４１が設けられ、前記突出部２４１により、前記連結台２１が補強され、前記第１ロッド１１１と前記第２ロッド１１２と前記第３ロッド１１３と前記第４ロッド１１４とが定位される。
【００２３】
前記結合台５２の前記連接穴５２１と前記貫通孔５３との内部に凸条部５２１１が複数設けられ、これらの前記凸条部５２１１により、前記結合台５２が補強される。
【００２４】
また、前記垂直昇降ロッド５１の前記連結台２１から突出する部分に第１係止具６１が嵌め設けられ、前記第１係止具６１が前記ロッドユニット１１の同じ側を同時に圧迫し、これにより、二つの前記ロッド１１１、１１２の展開状態を保持することができる。そうすると、前記ロッドユニット１１が当てられても、容易に倒れない。
【産業上の利用可能性】
【００２５】
本考案は、物干し台に適用することができる。
【符号の説明】
【００２６】
１  ：掛け台
１ａ：支ロッド
２  ：連結台
２ａ：側壁
２ｂ：チューブ部
２ｃ：挿入穴
２ｄ：溝区
２ｅ：第１凸縁
２ｆ：枢着軸
２ｇ：第２凸縁
３  ：支持ベース
３ａ：支持ロッド
４ａ：押付ボルト
５  ：チューブ台
５ａ：延長ロッド
１０：支持台ユニット
１１：ロッドユニット
１２：キャスター
２０：連結台ユニット
２１：連結台
２３：貫通孔
２４：第１枢着穴
２５：第２枢着穴
２６：第１剖開溝
２７：第１凸部
２８：第１ピン
３０：ねじ軸ユニット
４０：第１定位具
４１：第１偏心凸ブロック
４２：第１引き片
５０：掛け枠ユニット
５１：垂直昇降ロッド
５２：結合台
５３：貫通穴
５４：横掛けロッド
５５：横伸縮ロッド
５６：第２剖開溝
５７：第２凸部
５８：第２ピン
５９：第２定位具
６１：第１係止具
１１１：第１ロッド
１１２：第２ロッド
１１３：第３ロッド
１１４：第４ロッド
２１１：山形リブ
２４１：突出部
４１１：凸条
４２１：滑止皺
５２１：連接穴
５９１：第２偏心凸ブロック
５９２：第２引き片
５２１１：凸条部
【図１】
0003160424.tif 000003
【図２】
0003160424.tif 000004
【図３】
0003160424.tif 000005
【図４】
0003160424.tif 000006
【図５】
0003160424.tif 000007
【図６】
0003160424.tif 000008
【図７】
0003160424.tif 000009
【図８】
0003160424.tif 000010
【図９】
0003160424.tif 000011